Podtech/llm-jp-corpus-v4-ja_patent huggingface dataset:
(57)【要約】小指に装着したフックに非分離型プルタブを掛け飲料缶を吊るし、いろいろな形状の器と飲料缶を片手で保持できるようにする。またサイズをコンパクトにし製造コストを下げ携帯性を向上させる。リング（A)、２つの位置固定用突起（Ｂ）と、フック（Ｃ)を有し、リング（A)を小指に装着し、２つの位置固定突起（Ｂ）に薬指を挟み、フック（B)に非分離型プルタブ（D)を掛け飲料缶（E)を吊るして保持する、飲料缶ホルダー。
2017168744.tif 000002
【特許請求の範囲】
【請求項１】
リングと、このリングに取り付けられた２つの位置固定突起とフックを有し、前記リングを小指付根に装着し、前記リングが回転しないように前記位置固定突起で薬指を挟み、前記フックに非分離型プルタブを掛け、飲料缶を吊るして保持する飲料缶ホルダーである。
【発明の詳細な説明】
【技術分野】
【０００１】
本発明は、料理の器を持った手で非分離型プルタブ飲料缶も保持するためのホルダーに関するものである。
【背景技術】
【０００２】
従来、料理の器と飲料缶を片手で同時に持つためには、窪状の飲料缶ホルダーのあるプレートを使用したり、器にクリップなどで飲料缶ホルダーを装着していた。
【先行技術文献】
【特許文献】
【０００３】
【特許文献１】米国特許番号162860
【特許文献２】米国特許番号5421459
【特許文献３】米国特許番号7284737
【特許文献４】米国特許番号4961555
【特許文献５】米国特許番号1063321
【発明の概要】
【発明が解決しようとする課題】
【０００４】
従来の技術である飲料缶保持用窪みのあるプレートは、保持できる飲料缶は外径が同じものに限られ、プレートの仕切りの形状や深さも設定された料理や量以外には合わなかった、製品サイズも大きくかさばり製造コストも高かった。またクリップなどでホルダーを器に装着するタイプでも保持できる飲料缶の形状と装着可能な器の形状が限定されていた。そのため、いろいろな飲料缶や料理の出る状況に用いることはできなかった。
本発明は、いろいろな形状の飲料缶を保持することができ、同時にいろいろな形状の器を持つことが出来る低コストでコンパクトなホルダーの提供を目的とする。
【課題を解決するための手段】
【０００５】
上記の課題を解決するために、本発明は、リング（A)と、このリング（A)に取り付けられた２つの位置固定突起（B)とフック（Ｃ）を有し、前記リング（A)を小指付根に装着し、前記リング（Ａ）が回転しないように前記２つの位置固定突起（B)で薬指を挟み、前記フック（Ｃ)に非分離型プルタブ（D)を掛け飲料缶（E)を吊るして保持する、飲料缶ホルダーである。
【発明の効果】
【０００６】
本発明は、いろいろな形状の飲料缶を保持することができ、同時にいろいろな形状の器を持つことが出来る。製造コストが安く、小型で携帯性に優れているのでいろいろな状況に気軽に使用できとても便利である
【図面の簡単な説明】
【０００７】
【図１】本発明のホルダーの形状例を示す斜視図
【図２】図１のホルダーの使用方法を示す斜視図
【図３】器を持ちながら図１のホルダーを使用する状態の斜視図
【図４】スマートフォンを持ちながら図１のホルダーを使用する状態の斜視図
【図５】販促グッズとしてロゴマークを入れた図１のホルダーの1例を示す斜視図
【発明を実施するための形態】
【０００８】
本発明は、飲料缶ホルダー単体であり、料理の器を持つ側の手に装着し使用するものである。
本発明の缶ホルダーは図１のリング（Ａ）、２つの位置固定突起（Ｂ）、フック（Ｃ）からなる。
使用方法は、図２のようにリング（Ａ)を小指付根に装着し前記位置固定突起（B)で薬指を挟みリング（Ａ）が回転しないようにし、前記フック（Ｃ)に非分離型プルタブ（D)を掛け飲料缶（E)を保持する。図３のように本発明を使用した状態で、いろいろな形状の器を持つことが出来る。空いている方の手で箸やフォークなどを使い料理を食べる。缶飲料を飲む時はフォークなどを器に置き、空いた手で非分離型プルタブ（D)をフック（Ｃ)から外し飲む。
【実施例１】
【０００９】
非分離型プルタブ（D)は掛けやすいように少し上げておくとよい、ただし飲む時に鼻に当たるので45度以内がよい。【００１０】
フック（Ｃ)は非分離型プルタブ（D)の掛け外しが容易な図１で示す形状がよい。【００１１】
お祭り屋台、ＢＢＱなどの立食時において便利である。【００１２】
フックをかけられるパーツをペットボトルやコップに付けて、缶以外にも使用することが出来る。
【実施例２】
【００１３】
図４のようにスマートフォンなどの電子デバイスを持ちながら飲料缶を保持できて便利である。
【産業上の利用可能性】
【００１４】
椅子、テーブルが無い立食フードコートなどで使用し、缶飲料を同時購入しやすくさせ、フードコート全体の売り上げを上げる。【００１５】
図5のようにロゴマークをプリントや成型出来るので販促用の景品に使用できる。
【符号の説明】
【００１６】
Ａ リング
Ｂ 位置固定突起
Ｃ フック
Ｄ プルタブ（非分離型）
E  飲料缶
Ｆ ロゴマークプリント
Ｇ成形ロゴマーク
【図１】
2017168744.tif 000003
【図２】
2017168744.tif 000004
【図３】
2017168744.tif 000005
【図４】
2017168744.tif 000006
【図５】
2017168744.tif 000007
【国際調査報告】
2017168744.tif 000008
2017168744.tif 000009
2017168744.tif 000010
2017168744.tif 000011